(57)【要約】【課題】決済機関の証券決済用口座での決済可能残高の範囲内で証券決済を行うための顧客の証券の数量及び銘柄を出力できる証券決済管理システムを提供する。【解決手段】証券決済管理システムは、銘柄毎に、証券決済用口座への口座振替による入庫を示す振替入庫のデータに含まれる株式数量を当該銘柄の決済可能残高に加えて蓄積し、証券決済用口座からの口座振替による出庫を示す振替出庫のデータについて顧客毎に株式数量、銘柄及び出庫予定の有無を優先順位を付けて管理しており、蓄積された振替入庫のデータによる決済可能残高の範囲内で出庫予定有りの顧客の株式数量が割当て可能になると当該顧客の株式の数量及び銘柄を優先順位に従って出力する。【選択図】図４
2007179574.tif 000002
【特許請求の範囲】
【請求項１】
証券決済を行う決済機関の証券決済用口座による証券決済の管理を行うための証券決済管理システムであって、
前記決済機関の前記証券決済用口座に入庫された株式の数量及び銘柄を含む入庫データが入力される入力手段と、
前記決済機関の前記証券決済用口座における銘柄毎の決済可能残高を記憶する入庫記憶手段であって、前記入力手段に入力された前記入庫データに含まれる前記株式の数量を、当該入庫データに含まれる前記株式の銘柄の前記決済可能残高に加えることにより前記入庫データを蓄積する入庫記憶手段と、
前記銘柄毎のデータリストを記憶する出庫記憶手段であって、前記決済機関の前記証券決済用口座から出庫すべき顧客の株式の数量、当該顧客の顧客名、当日が受渡日であることによる当該顧客の株式の出庫予定の有無を示すデータ及び当該顧客の株式の取引の優先順位を当該株式の銘柄のデータリストの同じ行に記憶することにより、前記出庫すべき前記顧客の株式の数量及び銘柄、当該顧客の顧客名、当日が受渡日であることによる当該顧客の株式の出庫予定の有無を示すデータ並びに当該顧客の株式の取引の優先順位を関連付けて記憶する出庫記憶手段と、
前記入力手段に入力された前記入庫データを前記入力手段から受け取り、前記入庫データに含まれる前記株式の数量を当該入庫データに含まれる前記株式の銘柄の前記決済可能残高に加えることにより前記入庫データを前記入庫記憶手段に蓄積させ、前記出庫記憶手段の当該銘柄の前記データリストにより前記優先順位及び前記出庫予定有りを示すデータに関連付けされた当該銘柄の株式の数量及び当該銘柄を当該優先順位に従って前記決済機関の前記証券決済用口座から当日に出庫すべき顧客の株式の数量及び銘柄として出力する制御手段と
を有し、
前記制御手段は、前記入力手段から前記入庫データを受け取って前記入庫記憶手段に蓄積させた場合に、当該入庫データに含まれる前記株式の銘柄の前記データリストにより高い優先順位に関連付けされた前記出庫すべき前記顧客の株式の数量から順に合算して前記入庫記憶手段に記憶されている当該銘柄の決済可能残高の範囲内の前記顧客に割当可能な出庫可能量を算出し、当該出庫可能量が割り当てられるべき当該優先順位の各々に関連付けされた前記顧客の顧客名のうちで当該銘柄の前記データリストにより前記出庫予定有りを示すデータに関連付けされた当日出庫予定の顧客の顧客名について当該顧客名に関連付けされた株式の数量及び当該銘柄を当該顧客名に関連付けされた前記優先順位に従って出力し、前記入庫記憶手段に記憶されている当該銘柄の決済可能残高を当該出力された当該株式の数量だけ減らすとともに前記出庫記憶手段の当該銘柄の前記データリストで当該顧客名と同じ行に記憶されている当該株式の数量を当該データリストから削除する処理を行う
ことを特徴とする証券決済管理システム。
【請求項２】
前記出庫記憶手段は、前記決済機関の前記証券決済用口座から出庫すべき顧客の株式の数量、当該顧客の顧客名、当日が受渡日であることによる当該顧客の株式の出庫予定の有無を示すデータ及び当該顧客の株式の取引の優先順位であって乱数によりランダムに決められた優先順位を当該株式の銘柄のデータリストの同じ行に記憶することにより、前記出庫すべき前記顧客の株式の数量及び銘柄、当該顧客の顧客名、当日が受渡日であることによる当該顧客の株式の出庫予定の有無を示すデータ並びに当該顧客の株式の取引の優先順位を関連付けて予め記憶するものである
ことを特徴とする請求項１記載の証券決済管理システム。
【請求項３】
前記出庫記憶手段は、前記決済機関の前記証券決済用口座から出庫すべき顧客の株式の数量、当該顧客の顧客名、当日が受渡日であることによる当該顧客の株式の出庫予定の有無を示すデータ及び当該顧客の株式の取引の優先順位であって当該株式の銘柄のデータリストで数量の少ない順位からなる優先順位を当該株式の銘柄のデータリストの同じ行に記憶することにより、前記出庫すべき前記顧客の株式の数量及び銘柄、当該顧客の顧客名、当日が受渡日であることによる当該顧客の株式の出庫予定の有無を示すデータ並びに当該顧客の株式の取引の優先順位を関連付けて予め記憶するものである
ことを特徴とする請求項１記載の証券決済管理システム。
【請求項４】
コンピュータを、請求項１〜３の何れかに記載の証券決済管理システムとして機能させるためのプログラム。
【発明の詳細な説明】
【技術分野】
【０００１】
本発明は、証券決済の管理を行うための証券決済管理システム及びプログラムに関する。
【背景技術】
【０００２】
株式、債券等の売買に伴う証券決済は、証券保管振替機構等の決済機関を通じて決済が行われている。
証券保管振替機構は、株券等の証券を管理し、証券取引所、証券会社等の証券決済用口座が設けられている。そして、証券保管振替機構における証券決済は、証券を証券会社等に実際に移動させるのではなく、証券決済用口座の帳簿上に証券の売買のデータを入力して口座振替することで行うものである。
【発明の開示】
【発明が解決しようとする課題】
【０００３】
決済機関による証券決済では、顧客の株式、債券等の売買に伴う証券決済において、取扱い銘柄の出庫可能量を正確に把握して管理することが重要である。
【０００４】
証券保管振替機構等の決済機関を通じて決済を行う場合、決済機関への預託残高が銘柄毎合算で管理されており、証券決済の管理に関し、当該残高の範囲内で証券決済を行い、証券決済用口座の出庫超過による口座残高不足を防止することが重要である。
【０００５】
本発明は上記観点に鑑みて為されたもので、決済機関の証券決済用口座での決済可能残高の範囲内で証券決済を行うための顧客の証券の数量及び銘柄を出力することができる証券決済管理システム及びプログラムを提供することを目的とする。
【課題を解決するための手段】
【０００６】
本発明の第１の形態は、証券決済を行う決済機関の証券決済用口座による証券決済の管理を行うための証券決済管理システムであって、前記決済機関の前記証券決済用口座に入庫された株式の数量及び銘柄を含む入庫データが入力される入力手段と、前記決済機関の前記証券決済用口座における銘柄毎の決済可能残高を記憶する入庫記憶手段であって、前記入力手段に入力された前記入庫データに含まれる前記株式の数量を、当該入庫データに含まれる前記株式の銘柄の前記決済可能残高に加えることにより前記入庫データを蓄積する入庫記憶手段と、前記銘柄毎のデータリストを記憶する出庫記憶手段であって、前記決済機関の前記証券決済用口座から出庫すべき顧客の株式の数量、当該顧客の顧客名、当日が受渡日であることによる当該顧客の株式の出庫予定の有無を示すデータ及び当該顧客の株式の取引の優先順位を当該株式の銘柄のデータリストの同じ行に記憶することにより、前記出庫すべき前記顧客の株式の数量及び銘柄、当該顧客の顧客名、当日が受渡日であることによる当該顧客の株式の出庫予定の有無を示すデータ並びに当該顧客の株式の取引の優先順位を関連付けて記憶する出庫記憶手段と、前記入力手段に入力された前記入庫データを前記入力手段から受け取り、前記入庫データに含まれる前記株式の数量を当該入庫データに含まれる前記株式の銘柄の前記決済可能残高に加えることにより前記入庫データを前記入庫記憶手段に蓄積させ、前記出庫記憶手段の当該銘柄の前記データリストにより前記優先順位及び前記出庫予定有りを示すデータに関連付けされた当該銘柄の株式の数量及び当該銘柄を当該優先順位に従って前記決済機関の前記証券決済用口座から当日に出庫すべき顧客の株式の数量及び銘柄として出力する制御手段とを有し、前記制御手段は、前記入力手段から前記入庫データを受け取って前記入庫記憶手段に蓄積させた場合に、当該入庫データに含まれる前記株式の銘柄の前記データリストにより高い優先順位に関連付けされた前記出庫すべき前記顧客の株式の数量から順に合算して前記入庫記憶手段に記憶されている当該銘柄の決済可能残高の範囲内の前記顧客に割当可能な出庫可能量を算出し、当該出庫可能量が割り当てられるべき当該優先順位の各々に関連付けされた前記顧客の顧客名のうちで当該銘柄の前記データリストにより前記出庫予定有りを示すデータに関連付けされた当日出庫予定の顧客の顧客名について当該顧客名に関連付けされた株式の数量及び当該銘柄を当該顧客名に関連付けされた前記優先順位に従って出力し、前記入庫記憶手段に記憶されている当該銘柄の決済可能残高を当該出力された当該株式の数量だけ減らすとともに前記出庫記憶手段の当該銘柄の前記データリストで当該顧客名と同じ行に記憶されている当該株式の数量を当該データリストから削除する処理を行うことを特徴とする証券決済管理システムである。
【０００７】
前記出庫記憶手段は、前記決済機関の前記証券決済用口座から出庫すべき顧客の株式の数量、当該顧客の顧客名、当日が受渡日であることによる当該顧客の株式の出庫予定の有無を示すデータ及び当該顧客の株式の取引の優先順位であって乱数によりランダムに決められた優先順位を当該株式の銘柄のデータリストの同じ行に記憶することにより、前記出庫すべき前記顧客の株式の数量及び銘柄、当該顧客の顧客名、当日が受渡日であることによる当該顧客の株式の出庫予定の有無を示すデータ並びに当該顧客の株式の取引の優先順位を関連付けて予め記憶するものを用いてもよい。
前記出庫記憶手段は、前記決済機関の前記証券決済用口座から出庫すべき顧客の株式の数量、当該顧客の顧客名、当日が受渡日であることによる当該顧客の株式の出庫予定の有無を示すデータ及び当該顧客の株式の取引の優先順位であって当該株式の銘柄のデータリストで数量の少ない順位からなる優先順位を当該株式の銘柄のデータリストの同じ行に記憶することにより、前記出庫すべき前記顧客の株式の数量及び銘柄、当該顧客の顧客名、当日が受渡日であることによる当該顧客の株式の出庫予定の有無を示すデータ並びに当該顧客の株式の取引の優先順位を関連付けて予め記憶するものを用いてもよい。
【０００８】
本発明の第２の形態は、コンピュータを上記本発明の第１の形態の証券決済管理システムとして機能させるためのプログラムである。
【発明の効果】
【０００９】
本発明によれば、決済機関の証券決済用口座での決済可能残高の範囲内で当日に証券決済を行うための顧客の株式の数量及び銘柄を所与の優先順位に従って出力することができる証券決済管理システム及びプログラムを提供することができる。優先順位として乱数によりランダムに決めた順位を用いることで、顧客の株式の決済に対する公平を図ることができる。優先順位として株式の数量の少ない順を用いることで、当日に出庫すべき顧客の株式の数量及び銘柄に係る出庫案件の処理の効率化を図ることができる。
【発明を実施するための最良の形態】
【００１０】
本発明の実施の形態について図面を参照しながら説明する。
本発明の実施の形態に係る証券決済管理システムは、銘柄毎に、証券決済用口座への口座振替による入庫を示す振替入庫のデータを蓄積し、それに対して証券決済用口座からの口座振替による出庫を示す振替出庫のデータについて顧客毎に証券の数量及び出庫予定有りか否かを優先順位を付けて管理しており、蓄積された振替入庫のデータに対して出庫予定有りの振替出庫のデータが割当て可能となると振替出庫のデータを出力して振替出庫を履行できるようにするものであり、これにより、決済可能な入庫要件完了後に出庫要件を履行するため、証券決済用口座の出庫超過による口座残高の不足を防止することができるものである。
なお、本発明の実施の形態において、機能及び処理は、コンピュータによって実現されるものである。
【００１１】
本発明の実施の形態に係る証券決済管理システム（本システム）について図１〜図３を参照しながら説明する。図１は、決済機関の概略的な説明図であり、図２は、決済機関を中心としたシステム構成を示す概略図であり、図３は、本発明の実施の形態に係る証券決済管理システムの概略図である。
まず、決済機関の概略を説明すると、図１に示すように、決済機関内には、Ａ証券会社、Ｂ証券会社、Ｃ信託銀行、Ｘ証券取引所等の証券決済用口座が設けられている。
そして、Ａ証券会社からＢ証券会社が株式を５０００株買い、Ｃ信託銀行に売るとすると、Ａ証券会社の証券決済用口座からＢ証券会社の証券決済用口座に５０００株が口座振替により入庫され、その後、Ｂ証券会社の証券決済用口座からＣ信託銀行の証券決済用口座に５０００株が口座振替により出庫されるものである。
つまり、Ｂ証券会社の証券決済用口座は、５０００株の口座振替による振替入庫があって５０００株増え、そして５０００株の口座振替による振替出庫によって５０００株減るというものである。
【００１２】
本実施の形態の証券決済管理システムは、図２に示すように、決済機関となる決済機構センタ１０に接続するホスト２０と、当該ホスト２０に接続するデータベース（ＤＢ）３０と、ホスト２０へオペレータによって条件等を設定する操作端末４０とを有している。なお、決済機構センタ１０もコンピュータによって実現されている。ここで、符号２０′は他社ホストを表している。
【００１３】
次に、本システムの概要は、図３に示すように、振替入庫データを受け付ける入力装置１と、振替出庫データを出力する出力装置２と、口座振替の制御を行う制御装置３と、振替入庫データを記憶する入庫記憶部４と、振替出庫データを記憶する出庫記憶部５とから構成されている。入力装置１と出力装置２と制御装置３は、ホスト２０に設けてあり、入庫記憶部４と出庫記憶部５は、ＤＢ３０に設けてある。なお、ＤＢ３０をホスト２０に設けてもよい。
【００１４】
本システムの各部を具体的に説明する。
入力装置１は、他の証券会社等の証券決済用口座からの口座振替の内容を示す振替入庫データを決済機構センタ１０から受け取り、当該振替入庫データを制御装置３に出力する。これにより、決済機関で振替入庫が行われたことを認識することができる。
出力装置２は、制御装置３から口座振替する内容を示す振替出庫データを受け取り、決済機構センタ１０に出力し、決済機構センタ１０内の他の証券会社等の証券決済用口座への口座振替が行われる。これにより、決済機関で振替出庫が行われたことになる。
【００１５】
入庫記憶部４は、振替入庫データを、顧客、銘柄、及び証券の数量に関連付けて記憶し、例えば、売り取引に関する振替入庫データの内、顧客、銘柄、及び証券の数量のデータを記憶する。つまり、売り取引によって振り替えられた入庫データを記憶する。この入庫記憶部４は、決済可能な振替入庫データを記憶しているので、「決済可能残高プール」ということができる。
【００１６】
出庫記憶部５は、振替出庫データを、顧客、銘柄、証券の数量、及び出庫予定の有無に関連付けて記憶し、例えば、買い取引に関する振替出庫データの内、顧客名、銘柄、証券の数量、及び出庫予定の有無のデータを記憶する。つまり、買い取引によって振り替えられる出庫データに関連するデータを記憶する。このデータは、顧客毎の出庫予定（予定のないものも含む）のリストのデータであり、入庫記憶部４に決済可能な振替入庫データが入力されると、制御装置３によって出庫記憶部５から振替出庫データが出力装置２に出力され、決済機構センタ１０に出力される。
なお、振替出庫データは、予め特定条件に従って優先順位が設定されており、その順序に従って出力装置２への出力が為されるようになっている。
【００１７】
制御装置３は、入力装置１から入力された振替入庫データについて、振替元の証券決済用口座、顧客名、銘柄（例えば、銘柄コード）、証券の数量（例えば、株数）等のデータを管理し、銘柄毎に証券の数量に関する振替入庫データを入庫記憶部４に記憶する。
【００１８】
そして、制御装置３は、入庫記憶部４に記憶された振替入庫データに基づき、出庫記憶部５における振替出庫データの優先順位の状況に従って、振替入庫データを振替出庫データに割り当てる。割り当てられると、入庫記憶部４における割り当てた振替入庫データが削除又は留保され、出庫記憶部５における割り当てられた振替出庫データが出庫又は留保され、この出庫で振替出庫データは出力装置２に出力され、出庫記憶部５から削除される。
【００１９】
次に、本システムにおける処理動作を具体的に説明する。
売り取引によって決済機構センタ１０内の他の証券会社等の証券決済用口座からの振替入庫データが入力装置１に入力されると、入力装置１は、そのデータを制御装置３に出力する。
制御装置３は、入力された振替入庫データを入庫記憶部４に記憶する。
また、制御装置３は、出庫記憶部５における出庫予定のリストを作成・更新している。当該リストには、優先順位に従って顧客名、証券の数量、及び出庫予定の有無が登録される。
【００２０】
そして、制御装置３は、入庫記憶部４の振替入庫データの状況と出庫記憶部５のリストに従って、入庫記憶部４の振替入庫データを振替出庫データに割り当てることができるか否かを判断し、割当て可能である場合に、振替出庫データが出庫予定有りとなっていれば出力装置２への出力を行い、振替出庫データが出庫予定有りとなっていなければ留保の処理を行う。
出庫予定有りの案件について割当てが実行されると、割当てに用いられた入庫記憶部４の振替入庫データと出庫記憶部５の振替出庫データが各記憶部から削除され、振替出庫データは出力装置２から決済機構センタ１０に出力され、決済機構センタ１０内の他の証券会社等の証券決済用口座への口座振替により証券の出庫が為される。
【００２１】
次に、上記割当て及び出力装置への出力の処理について図４を用いて具体的に説明する。図４は、入庫状況及び出庫状況を説明するための概念図である。
図４に示すように、入庫記憶部４は銘柄毎の決済可能残高プールとなる保護預かりのデータ部分４ａと、未入庫エリア４ｂとを備えており、出庫記憶部５は銘柄毎の振替出庫データ部分５ａを備えている。
【００２２】
保護預かりのデータ部分４ａは、振替入庫データが蓄積されるデータエリアであり、このエリアにデータが入力されると、制御装置３によって処理が開始されることになる。
未入庫エリア４ｂは、入庫が予定されるデータの量を示しており、入庫予定のデータが入庫されると保護預かりのデータ部分４ａが大きくなり、それに応じて未入庫エリア４ｂが小さくなるものである。
振替出庫データ部分５ａには、優先順位の高い順に顧客名、証券の数量、出庫予定（出庫請求）の有無がリストとして登録されている。
【００２３】
振替入庫データの入力により保護預かりのデータ部分４ａの決済可能残高が蓄積されると、振替出庫データ部分５ａのリストを参照し、決済可能残高の範囲内で優先順位に従って出庫のための割当てが可能であれば、出庫のための顧客に割当て可能な数量の割当てを行う。
【００２４】
例えば、保護預かりのデータ部分４ａに３０００株の振替入庫データが入力されたとすると、その銘柄の決済可能残高は３０００株増え、その銘柄の振替出庫データ部分５ａのリストには優先順位として、第１に顧客ａが１０００株出庫予定であり、第２に顧客ｂが１０００株出庫予定ではなく、第３に顧客ｃが１０００株出庫予定である場合に、決済可能残高の範囲内の顧客に割当て可能な出庫可能量が第１から第３の優先順位の顧客ａ，ｂ，ｃの株数を合算した３０００株であるとき、この３０００株は顧客ａ，ｂ，ｃに割り当てられるが、その中で、第１及び第３の優先順位の顧客ａ，ｃの株式の数量及び銘柄を含む振替出庫データは出力装置２に出力され、顧客ｂの振替出庫データは保留処理される。よって、第１及び第３の優先順位である顧客ａ，ｃに割り当てられた株式数量が保護預かりのデータ部分４ａの決済可能残高から減るとともに振替出庫データが振替出庫データ部分５ａから削除され、第２の優先順位である顧客ｂに割り当てられた株式数量と振替出庫データは保護預かりのデータ部分４ａと振替出庫データ部分５ａに残されたままとなる。
【００２５】
そして、以降は、保護預かりのデータ部分４ａにデータが入力される度に、制御装置３は、データの割当て処理を行う。但し、上記処理で顧客ｂに割り当てられた１０００株は保護預かりデータ部分４ａに留保されたままであるので、この１０００株は顧客ｂが出庫予定とならない限り、利用されない。
振替出庫データ部分５ａにおける優先順位に従って、データの割当て処理及び出力装置２へのデータ出力を行うと、出庫予定の顧客がリストから削除され、出庫予定でない顧客がリストに残ることになり、これに対応して保護預かりデータ部分４ａに相当する株数が保留されることになる。
【００２６】
次に、振替出庫データ部分５ａにおけるリストの優先順位の条件について説明する。
優先順位を高くする条件は、例えば、取引所受渡分、受渡日出庫顧客分、前日被フェール顧客分、数量の少ない順、乱数等による。
取引所受渡分とは、振替出庫先が証券取引所となっている案件である。つまり、証券取引所受渡分を優先させるものである。
受渡日出庫顧客分とは、当該日を出庫予定としている顧客分の案件のことである。受渡日を優先させるものである。
【００２７】
前日被フェール顧客分とは、前日に出庫予定となっていたが、割り当てられずにフェール（出庫不可）となった顧客の案件のことである。この場合、証券会社は、自己が保有する株又は他の証券会社から借り入れした借株を充当して、振替出庫を行うことになる。一度フェールとなった顧客には優先して出庫を行うことで、ある顧客に出庫が続けて遅れることがないようにすることができる。
【００２８】
数量の少ない順にするメリットは、振替入庫データの割当てによって出庫される案件の確率が高くなり、出庫案件の処理を効率化できる効果がある。
乱数によってリストの顧客の優先順位を決めることで、顧客の出庫に対する公平を図ることができる。
【００２９】
次に、図４を用いて、処理の流れを簡単に説明しておく。
まず、振替出庫データ部分５ａは、制御装置３から指示によって振替出庫データを出力装置２に出力する処理が開始されるまでは、処理が一時停止された状態となっている。
振替入庫データによって、保護預かりデータ部分４ａの決済可能残高プールにおける現在残高が増加したら、次に制御装置３によって出庫の一時停止状態を解除して、振替出庫データ部分５ａのリストにおける優先順位に従って優先順位の高い取引の順に、出庫予定がある取引について振替出庫データを出力装置２へ出力する。
【００３０】
従って、振替出庫データ部分５ａにおいて、出庫予定がある顧客の株部分が出庫され、出庫予定がない顧客の株部分は、保護預かりデータ部分４ａと振替出庫データ部分５ａに留保されたままとなる。
また、振替入庫データの入力がないため、振替出庫データ部分５ａのリストにおいて出庫予定があるにも拘わらず、出庫されずにフェールとなると、フェールとなった顧客分に対して、証券会社の自己株又は借株を充当する。
【００３１】
また、図２の本システムにおいて、制御装置３に表示部とキーボード及びマウスを取り付けて入庫・出庫状況をモニタリングし、実際の振替出庫データの処理の状況に応じて、振替出庫データ部分５ａのリスト内で、まだ出庫されていないが、出庫予定のある顧客の優先順位を変更し、優先的に処理を行うようにしてもよい。
なお、上記実施の形態において、各種機能及び処理は、当該機能及び／又は処理に相当するプログラムを実行するコンピュータの動作によって実現される構成とし、このようなプログラムをホスト２０で実行する構成としてもよい。
【００３２】
本システムによれば、振替入庫データが入庫記憶部４に記憶されて保護預かりデータ部分４ａの残高が増加すると、制御装置３は、保護預かりデータ部分４ａの内容から判断して出庫記憶部５の振替出庫データ部分５ａのリストに従ってデータの割当てを行い、リストにおける出庫予定のある顧客の株部分から出庫を行うようにしているので、顧客の株部分でも出庫予定のないものは保護預かりのデータ部分４ａと振替出庫データ部分５ａに保留されることになるため、出庫予定のない顧客の株が出庫の対象となることを防止できる効果がある。
【００３３】
また、本システムによれば、振替出庫データ部分５ａからの振替出庫データの出力を特定の条件による優先順位に従って行うようにしているので、条件の設定により振替出庫データの出力を制御でき、システムにおける自由度を向上させることができる。
【００３４】
また、本システムでは、制御装置３が振替出庫データの処理の状況を監視し、その状況が予め設定された特定の条件となった場合、例えば、特定時間に決済の進捗状況が５０％に達していない場合等に、アラームを発するようにしていれば、決済不履行のおそれのある取引を容易に把握することができ、当該アラームに対してオペレータが決済されていない出庫案件の処理を進めることが可能となり、決済不履行を防止可能である。
【図面の簡単な説明】
【００３５】
【図１】決済機関の概略的な説明図である。
【図２】決済機関を中心としたシステム構成を示す概略図である。
【図３】本発明の実施の形態に係る証券決済管理システムの概略図である。
【図４】入庫状況及び出庫状況を説明するための概念図である。
【符号の説明】
【００３６】
１...入力装置、  ２...出力装置、  ３...制御装置、  ４...入庫記憶部、４ａ...保護預かりのデータ部分、  ４ｂ...未入庫エリア、  ５...出庫記憶部、  ５ａ...振替出庫データ部分
【図１】
2007179574.tif 000003
【図２】
2007179574.tif 000004
【図３】
2007179574.tif 000005
【図４】
2007179574.tif 000006